(57)【特許請求の範囲】
【請求項１】
収納位置と排出位置とに移動可能に設けられたトレイに回転可能に取り付けられ、複数のディスク保持部が形成された回転テーブルを備え、
複数種のディスクが再生可能であると共に、ディスク保持部のそれぞれに関連した情報を生成するディスク再生装置において、
ディスク保持部のそれぞれに関連した前記情報の色彩を、ディスク保持部のそれぞれに載置されたディスクの種類に対応した色彩にし、生成した情報の表示位置を回転テーブルの回転に対応して移動させ、オーディオＣＤを連続して再生するモードとなるときには回転テーブルに載置されたディスクのうちからオーディオＣＤのみを選択して再生し、トレイが排出位置に移動したときにはディスクの取り換えが可能になるディスク保持部についての前記情報を点滅表示にし、映像信号が記録されたディスクを再生するときには前記情報の生成を停止し、映像信号が記録されたディスクを再生しているときに表示の指示が入力された場合には前記情報を生成し、再生可能位置に移動したディスク保持部に関連した前記情報の色彩を、ディスクの種類を示す色彩と再生可能を示す色彩とに交互に変化させることを特徴とするディスク再生装置。
【請求項２】
収納位置と排出位置とに移動可能に設けられたトレイに回転可能に取り付けられ、複数のディスク保持部が形成された回転テーブルを備え、
複数種のディスクが再生可能であると共に、ディスク保持部のそれぞれに関連した情報を生成するディスク再生装置において、
ディスク保持部のそれぞれに関連した前記情報の色彩を、ディスク保持部のそれぞれに載置されたディスクの種類に対応した色彩にし、生成した情報の表示位置を回転テーブルの回転に対応して移動させ、オーディオＣＤを連続して再生するモードとなるときには回転テーブルに載置されたディスクのうちからオーディオＣＤのみを選択して再生することを特徴とするディスク再生装置。
【請求項３】
トレイが排出位置に移動したときには、ディスクの取り換えが可能になるディスク保持部についての前記情報を点滅表示することを特徴とする請求項２記載のディスク再生装置。
【請求項４】
映像信号が記録されたディスクを再生するときには前記情報の生成を停止することを特徴とする請求項２または請求項３記載のディスク再生装置。
【請求項５】
前記情報の生成を停止した状態において、表示の指示が入力されたときには、前記情報の生成を行うことを特徴とする請求項４記載のディスク再生装置。
【発明の詳細な説明】
【０００１】
【発明の属する技術分野】
本発明は、複数枚のディスクを回転テーブルに載置可能なディスク再生装置に係り、より詳細には、ディスク保持部に対応した情報の色彩を、ディスクの種類に対応して変えるディスク再生装置に関するものである。
【０００２】
【従来の技術】
複数枚のディスクを回転テーブルに載置可能なディスク再生装置、すなわち、カルーセル型チェンジャにおいては、トレイが収納位置に移動した後には、回転テーブルの状態を見ることができない。このため、回転テーブルの状態を表示する従来技術が、実用新案登録第２５４５４３４号として提案されている。この技術においては、図１０に示すように、回転テーブルに載置されたディスクのそれぞれを、円形に配置されたセグメント表示器群（以下では単に表示器群と称する）９１で示すようになっている。また、円形に配置された表示器群９１の内側に、ディスク番号を示すための表示器群９２ａ〜９２ｃを設けている。また、円形の表示素子群９１の外周を直線状に結ぶ表示器群９３を設けている。
【０００３】
そして、ディスクが載置されると、載置位置に対応する表示素子群９１ａ〜９１ｃのみを点灯させることにより、トレイのディスクの有無を示している。また、円形に配置された表示素子群９１を回転するように点滅させて、ディスクの回転を示している。また、表示素子群９１の一部と表示素子群９３とを、回転するように点滅させて、回転テーブルの回転を示すようになっている。また、表示素子群９２により、各位置に移動したディスク番号を表示している。また、再生していないときには、表示素子群９２ａ〜９２ｃの全てを緑色の表示とし、再生を行っているときには、再生中のディスクを示す表示素子群９２ａの表示色を赤色としている（第１の従来技術とする）。
【０００４】
また、ビデオＣＤやカラオケＣＤ、あるいは、オーディオＣＤ（ＣＤ−ＤＡ）などの、複数種のＣＤの再生を行うと共に、再生しているＣＤの種類を表示する装置の１つに、特開平８−７９６３７号として提案された従来技術がある。すなわち、この技術においては、画面に表示する文字でもって、複数種のＣＤのうち、どのＣＤを再生しているのかを示すようになっている（段落［００１５］）。また、ＣＤの種類に応じて、背景の表示パターンの色彩を変化させるようにしている（段落［００１８］）。従って、ユーザは、簡単、且つ、直感的にＣＤの種類を判別することができるようになっている。
【０００５】
【発明が解決しようとする課題】
しかしながら、複数種のディスクを再生可能であり、且つ、回転テーブルに複数枚のディスクを載置可能な装置に上記従来技術を適用しようとすると、以下に示す問題を生じていた。すなわち、いま、５枚のディスクが載置可能であるとし、載置された５枚のディスクのうち、１枚のみがＤＶＤで、その他のディスクがオーディオＣＤであるとする。このような場合、第１の従来技術では、５枚のディスクが載置されていることが示されるに過ぎず、ディスクの種類は示されない。また、第２の従来技術では、再生中のディスクの種類が背景色により示されるに過ぎない。従って、回転テーブルに載置された５枚のディスクのうちから、例えば、ＤＶＤを再生したいと思うときにも、ＤＶＤのディスク番号を忘れてしまうと、ディスク番号を指定してＤＶＤを再生させることができない。その結果、トレイを排出位置に移動させ、回転テーブルを回転させて、載置されたディスクを再度確認する必要が生じる。あるいは、回転テーブルを回転させて、載置されたディスクを次々と再生する必要が生じ、その操作が煩わしいものになる。また、目的とするＤＶＤが再生されるまでに時間を要する。
【０００６】
本発明は上記課題を解決するため創案されたものであって、その目的は、ディスク保持部のそれぞれに関連した情報の色彩を、載置されたディスクの種類に対応した色彩にし、トレイが排出位置に移動したときには、ディスクの取り換えが可能になるディスク保持部についての前記情報を点滅表示にし、映像信号が記録されたディスクの再生時には情報の生成を停止し、情報の生成が停止された状態において、表示の指示が入力されたときには、情報の生成を行い、再生可能位置に移動したディスク保持部に関連した情報の色彩を、ディスクの種類を示す色彩と再生可能を示す色彩とに交互に変化させることにより、複数種のディスクを再生可能にすると共に複数枚のディスクを載置可能とするときにも、回転テーブルに載置されたディスクの種類の確認を容易にし、且つ、ディスクが取り換え可能になっていることを示し、且つ、映像信号が記録されたディスクを再生するときにも、映像を楽しむのに障害となる情報の表示を防止し、且つ、任意のタイミングにおいて、載置されたディスクの種類を確認することができ、且つ、再生可能位置にあるディスクを示すことのできるディスク再生装置を提供することにある。
【０００７】
また本発明の目的は、ディスク保持部のそれぞれに関連した情報の色彩を、載置されたディスクの種類に対応した色彩とすることにより、複数種のディスクを再生可能にすると共に、複数枚のディスクを載置可能とするときにも、回転テーブルに載置されたディスクの種類の確認を容易にすることのできるディスク再生装置を提供することにある。
【０００８】
また上記目的に加え、トレイが排出位置に移動したときには、ディスクの取り換えが可能になるディスク保持部についての情報を点滅表示することにより、ディスクが取り換え可能になっていることを示すことのできるディスク再生装置を提供することにある。
【０００９】
また上記目的に加え、映像信号が記録されたディスクの再生時には情報の生成を停止することにより、映像信号が記録されたディスクを再生するときにも、映像を楽しむのに障害となる情報の表示を防止することのできるディスク再生装置を提供することにある。
【００１０】
また上記目的に加え、情報の生成が停止された状態において、表示の指示が入力されたときには、情報の生成を行うことにより、任意のタイミングにおいて、載置されたディスクの種類を確認することのできるディスク再生装置を提供することにある。
【００１１】
【課題を解決するための手段】
上記課題を解決するため本発明に係るディスク再生装置は、収納位置と排出位置とに移動可能に設けられたトレイに回転可能に取り付けられ、複数のディスク保持部が形成された回転テーブルを備え、複数種のディスクが再生可能であると共に、ディスク保持部のそれぞれに関連した情報を生成するディスク再生装置において、ディスク保持部のそれぞれに関連した前記情報の色彩を、ディスク保持部のそれぞれに載置されたディスクの種類に対応した色彩にし、生成した情報の表示位置を回転テーブルの回転に対応して移動させ、オーディオＣＤを連続して再生するモードとなるときには回転テーブルに載置されたディスクのうちからオーディオＣＤのみを選択して再生し、トレイが排出位置に移動したときにはディスクの取り換えが可能になるディスク保持部についての前記情報を点滅表示にし、映像信号が記録されたディスクを再生するときには前記情報の生成を停止し、映像信号が記録されたディスクを再生しているときに表示の指示が入力された場合には前記情報を生成し、再生可能位置に移動したディスク保持部に関連した前記情報の色彩を、ディスクの種類を示す色彩と再生可能を示す色彩とに交互に変化させるようにしている。
【００１２】
すなわち、ディスク保持部のそれぞれに載置されたディスクの種類は、ディスク保持部のそれぞれに対応した情報の色彩によって示される。また、ディスク保持部に保持されたディスクが取り換え可能になると、対応する情報が点滅表示になる。また、再生された映像は、情報に邪魔されることなく、全画面にわたって表示される。また、映像信号の再生を行っているときにも、指示に対応して情報が表示される。また、色彩が交互に変化する情報に対応したディスクが再生可能であることが示される。また、ディスク保持部のオーディオＣＤの再生が終了し、次のオーディオＣＤが再生されるまでには、次のオーディオＣＤが保持されたディスク保持部が再生位置に移動する時間が必要となることを、ユーザは容易に知ることができる。
【００１３】
また本発明に係るディスク再生装置は、収納位置と排出位置とに移動可能に設けられたトレイに回転可能に取り付けられ、複数のディスク保持部が形成された回転テーブルを備え、複数種のディスクが再生可能であると共に、ディスク保持部のそれぞれに関連した情報を生成するディスク再生装置において、ディスク保持部のそれぞれに関連した前記情報の色彩を、ディスク保持部のそれぞれに載置されたディスクの種類に対応した色彩にし、生成した情報の表示位置を回転テーブルの回転に対応して移動させ、オーディオＣＤを連続して再生するモードとなるときには回転テーブルに載置されたディスクのうちからオーディオＣＤのみを選択して再生する。
【００１４】
すなわち、ディスク保持部のそれぞれに載置されたディスクの各種類は、ディスク保持部のそれぞれに対応した情報の色彩によって示される。また、ディスク保持部のオーディオＣＤの再生が終了し、次のオーディオＣＤが再生されるまでには、次のオーディオＣＤが保持されたディスク保持部が再生位置に移動する時間が必要となることを、ユーザは容易に知ることができる。
【００１５】
また上記構成に加え、トレイが排出位置に移動したときには、ディスクの取り換えが可能になるディスク保持部についての前記情報を点滅表示させている。
【００１６】
すなわち、ディスク保持部に保持されたディスクが取り換え可能になると、対応する情報が点滅表示になる。
【００１７】
また上記構成に加え、映像信号が記録されたディスクを再生するときには前記情報の生成を停止させている。
【００１８】
すなわち、再生された映像は、情報に邪魔されることなく、全画面にわたって表示される。
【００１９】
また上記構成に加え、前記情報の生成を停止した状態において、表示の指示が入力されたときには、前記情報の生成を行っている。
【００２０】
すなわち、映像信号の再生を行っているときにも、指示に対応して情報が表示される。
【００２１】
【発明の実施の形態】
以下に本発明の実施例の形態を、図面を参照しつつ説明する。
図４は、本発明に係るディスク再生装置の一実施形態の機構の概略を示す平面図である。
【００２２】
図において、装置本体５１にはトレイ２６が移動可能に設けられている。すなわち、トレイ２６は、装置本体５１の内部に設けられたシャーシ５２に、排出位置（２点鎖線２６ａに示す位置）と収納位置（２６に示す位置）とに移動可能に設けられている。また、トレイ２６には、回転テーブル３３が、回転軸３７を中心として、回転可能に取り付けられている。そして、回転テーブル３３上には、回転軸３７の周りに、５つのディスク保持部３４１〜３４５が形成されている。また、回転テーブル３３の上面には、ディスク保持部３４１〜３４５４の各近傍位置に、ディスク保持部３４１〜３４５を互いに区別するための番号（以下では、ディスク番号と称する）を示す文字３８が形成されている。
【００２３】
また、ディスク保持部３４１〜３４５には、ディスククランパ４１と対になってディスク（ＤＶＤあるいはＣＤ）をクランプするターンテーブル（図示を省略）とピックアップ４３とを挿入するための切欠３６が、回転テーブル３３の外周方向に向けて形成されている。また、トレイ２６の後端部の中央にも切欠２７が形成され、その位置のディスク保持部３４２の切欠３６と連通するようになっている。このため、ディスクが再生された状態にあるときにも、トレイ２６と回転テーブル３３とは、ターンテーブルやピックアップ４３に邪魔されることなく、排出位置に移動することができるようになっている。
【００２４】
なお、ディスククランパ４１は、支持部材５２１により、回転テーブル３３の上部側において回転可能となるように支持されている。また、ターンテーブルを回転させるディスクモータ（図示を省略）は、ディスククランパ４１の下方において、再生を行うときには上昇し、再生を停止するときには下降するように、図示されないサブシャーシを介して、シャーシ５２に取り付けられている。
【００２５】
トレイ駆動手段２４は、シャーシ５２上に設けられたブロックとなっており、モータ２４１と、モータ２４１の回転を伝達するプーリ２４２と、歯車２４３とを備えている。そして、歯車２４３が、トレイ２６の下部の一方の内側面に沿って形成されたラック２４４と噛み合うことにより、トレイ２６を、排出位置と収納位置とに移動させる。テーブル駆動手段３２は、トレイ２６上に設けられたブロックとなっており、モータ３２１と、モータ３２１の回転軸に取り付けられたウォームギア３２２と、ウォームギア３２２に噛み合う歯車３２３とを備えている。そして、歯車３２３が、回転テーブル３３の下面に形成された歯車３２４に噛み合うことにより、回転テーブル３３を回転駆動する。
【００２６】
図３は、実施形態の電気的構成を示すブロック線図であり、映像信号が記録されたディスクであるＤＶＤとビデオＣＤ、および、デジタル音声信号のみが記録されたＣＤであるＣＤ−ＤＡ（以下ではオーディオＣＤと称する）の再生が可能な装置を示している。また、図５は、モニタが接続された実施形態を示す正面図となっている。
【００２７】
ピックアップ４３は、ディスククランパ４１により上部からクランプされた状態において、ディスクモータ４２によって回転するディスク９から信号を読み取るブロックとなっている。そして、読み取った信号を信号処理回路１２に送出する。信号処理回路１２は、ピックアップ４３から出力される信号に対し、デジタルデータの復調とエラー訂正とを施すことにより、ディスクの種類を示す信号やＭＰＥＧ信号などを復調するブロックとなっている。そして、復調した信号を判別回路１３に送出する。
【００２８】
判別回路１３は、信号処理回路１２から送出される信号に基づいて、再生されるディスクの種類を判別するブロックとなっている。そして、判別結果に基づき、信号処理回路１２から送出される信号を、音声用デコーダ１４と映像用デコーダ１６とに振り分ける。また、判別結果を制御手段１８に送出する。音声用デコーダ１４は、判別回路１３により振り分けられた信号を、音声を示すＰＣＭ信号に復調するブロックとなっている。そして、復調したＰＣＭ信号をＤ／Ａ変換器１５に送出する。
【００２９】
映像用デコーダ１６は、判別回路１３から送出されるＭＰＥＧ信号を映像信号に復調すると共に、復調した信号をＮＴＳＣ方式の信号に合成するブロックとなっている。そして、合成したＮＴＳＣ方式の信号をＤ／Ａ変換器１７に送出する。また、制御手段１８からの指示に従った画像や文字を映像信号に重畳するため、その内部にオンスクリーンディスプレイ回路（以下ではＯＳＤ回路と称する）１６１を備えている。
【００３０】
Ｄ／Ａ変換器１５は、音声用デコーダ１４から送出されるＰＣＭ信号をアナログ音声信号に変換し、外部に送出するブロックとなっている。また、Ｄ／Ａ変換器１７は、映像用デコーダ１６から送出されるＮＴＳＣ方式の信号を、アナログのＮＴＳＣ方式の信号に変換し、外部に送出するブロックとなっている。入力手段１９は、装置本体５１の前面パネル７２に設けられた複数のキースイッチや、リモートコントローラ８から送信される赤外線を受光する受光部などを備えたブロックとなっており、ユーザからの指示が入力される。そして、入力された指示を制御手段１８に送出する。表示器２０は、ディスク番号やトラック番号、演奏時間などの情報を表示するためのブロックとなっている。
【００３１】
制御手段１８は、マイクロコンピュータにより構成され、ディスク再生装置としての主要動作を制御するブロックとなっている。このため、信号処理回路１２と映像用デコーダ１６との動作を制御する。また、機構部２９の動作を制御することにより、トレイ２６を排出位置と収納位置とに移動させると共に、回転テーブル３３を回転させる。
【００３２】
また、制御手段１８は、ＯＳＤ回路１６１に指示を与えることによって、モニタ７５の画面上のエリア７４に、ディスク保持部３４１〜３４５のそれぞれに関連した５つの情報（以下では、単に情報と称する）を表示する。詳細には、エリア７４には、図６に示すように、固定された５つのエリア７４１〜７４５が設定されている。そして、５つの情報６１〜６５のそれぞれは、エリア７４１〜７４５において表示される。また、図６（Ａ）から図６（Ｂ）の変化に示すように、回転テーブル３３が回転する場合、情報６１〜６５は、回転テーブル３３の回転に対応して、表示されるエリア７４１〜７４５を移動する。また、情報６１〜６５には、ディスク番号『１』〜『５』も併せて表示されるようになっている。且つ、情報６１〜６５のそれぞれにおいては、ディスクの種類が色彩により表示される。
【００３３】
また、制御手段１８は、トレイ２６を排出位置に移動させたときには、ディスクが取り換え可能となるディスク保持部（回転テーブル３３の回転位置が図４に示す状態の場合では、３４４，３４５）の情報６４，６５の色彩表示を点滅させる。また、再生が可能になるディスク保持部（回転テーブル３３の回転位置が図４に示す状態の場合では、３４２）の情報６２の色彩を、ディスクの種類を示す色彩と再生位置を示す色彩とに交互に変化させる。
【００３４】
なお、ディスクの種類と色彩との関係については、ＤＶＤは青色、ビデオＣＤは黄色、オーディオＣＤは緑色となっている。また、再生位置にあることは、赤色により示される。従って、再生可能位置にあるディスク（ディスク保持部３４２に保持されたディスク）がビデオＣＤである場合、その情報６２は、赤色と黄色との交互変化となる。また、再生を行っているときには、再生しているディスク番号を、モニタ７５の右側上部のエリア７６に表示する。
【００３５】
また、制御手段１８は、再生しているディスクが映像信号を記録したディスクである場合、情報６１〜６５を含むエリア７４の表示を停止させる。また、情報６１〜６５の表示を停止させているとき、リモートコントローラ８などによって、情報６１〜６５の表示の指示が入力されると、情報６１〜６５の表示を行う。且つ、映像信号を再生中であるにもかかわらず、表示の指示に従って情報６１〜６５を表示している場合、表示停止の指示が入力されると、情報６１〜６５の表示を停止する。
【００３６】
図１は、ディスクの取り換え時の主要動作を示すフローチャート、図２は、ディスク再生時の主要動作を示すフローチャートである。必要に応じて同図を参照しつつ、実施形態の動作を説明する。
【００３７】
いま、回転テーブル３３の回転位置が、図４に示す状態にあり、且つ、再生が停止しているとする。また、ディスク保持部３４１，３４３にはＤＶＤ、ディスク保持部３４２，３４４にはビデオＣＤ、ディスク保持部３４５にはオーディオＣＤが載置されているとする。このときでは、図６（Ａ）に示す情報６１，６３は青色、情報６２，６４は黄色、情報６５は緑色となる。また、情報６２は、黄色と赤色の交互表示となる。
【００３８】
上記状態において、入力手段１９のオープンキー（図示を省略）、あるいは、リモートコントローラ８のオープンキー（図示を省略）が操作されると、制御手段１８は、トレイ２６を排出位置に移動させる（ステップＳ１）。トレイ２６が排出位置に移動すると、情報６４，６５が点滅表示になり、ディスク保持部３４４，３４５のディスクが取り換え可能になっていることが示される（ステップＳ２）。この状態において、ディスク保持部３４４のビデオＣＤをオーディオＣＤに取り換え、ディスク保持部３４５のオーディオＣＤをＤＶＤに取り換えたとする（ステップＳ３）。
【００３９】
そして後、さらに取り換えたいディスクがあるため、ディスク保持部３４５がディスク保持部３４４の位置に移動するように、回転テーブル３３を回転させたとする。このときでは、情報６１〜６５のそれぞれが表示されるエリア７４１〜７４５は、図６（Ｂ）に示すように、時計方向に１つだけずれる。また、情報６５，６１が点滅表示となる。また、ディスク保持部３４４の情報６４は、ディスクの種類が不明なため、点滅しない灰色表示になる（ステップＳ４，Ｓ２）。
【００４０】
上記のように回転テーブル３３を回転させた状態において、ディスク保持部３４１に載置されていたＤＶＤをオーディオＣＤに取り換えた後、トレイ２６を収納位置に移動させたとする（ステップＳ３〜Ｓ５）。トレイ２６が収納位置に移動したときには、制御手段１８は、情報６５，６１の表示を、点滅表示から、点滅しない灰色の表示に変更する。その結果、図７に示すように、情報６４，６５，６１が灰色表示になる。
【００４１】
次いで、制御手段１８は、回転テーブル３３を時計方向に回転させ、ディスク保持部３４４を再生位置に移動させる。このときでは、エリア７４は、図８（Ａ）に示す表示となる（情報６４，６５，６１は灰色表示になっている）。次いで、ディスク保持部３４４のディスクの種類判別を行う（ステップＳ６）。そして、ディスクの種類がオーディオＣＤであることが判明すると、図８（Ｂ）に示すように、情報６４の色彩を、灰色から、オーディオＣＤを示す緑色に変える（ステップＳ７）。次いで、ディスクの種類の判別が終了したかどうかを調べる（ステップＳ８）。このときでは、まだ、２枚のディスクの種類の判別が残っているので、動作は、ステップＳ８からステップＳ６に移行する。
【００４２】
以下、同様の動作が繰り返され、ディスク保持部３４５のディスクの種類が、ＤＶＤであることが判別され、対応する情報６５の色彩が、ＤＶＤを示す青色に変更される。そして、回転テーブル３３が、さらに、時計方向に、３６０度の１／５だけ回転すると、エリア７４に表示される情報は、図９（Ａ）に示すように、情報６３，６５が青色、情報６２が黄色、情報６４が緑色、情報６１が灰色になる。次いで、制御手段１８は、ディスク保持部３４１のディスクの種類を判別する（ステップＳ６）。判別結果はオーディオＣＤであることから、制御手段１８は、情報６１の色彩を、灰色から、オーディオＣＤを示す緑色に変更する（ステップＳ７）。その結果、エリア７４には、図９（Ｂ）に示すように、情報６３，６５が青色、情報６２が黄色、情報６１，６４が緑色によって表示される。
【００４３】
上記動作によって、全てのディスクの種類が判別したため、動作は、ステップＳ８からステップＳ９に移行する。このため、制御手段１８は、情報６１の色彩を、赤色と緑色とに交互に変化させることによって、ディスク保持部３４１に保持されたオーディオＣＤが再生可能な位置にあることを示す。
【００４４】
以上で、ディスクを交換した場合の動作説明を終了し、以下に、ディスクを再生するときの動作について説明する。
【００４５】
いま、ＤＶＤ（またはビデオＣＤ）が再生可能な位置にあり、再生の指示に従って再生が開始されたとする。このとき、制御手段１８は、映像信号の再生であるため、エリア７４の表示（情報６１〜６５の表示）を停止させる（ステップＳ１１，Ｓ１２）。そして、次には、表示の指示があるかどうか、表示停止の指示があるかどうか、再生が終了したかどうか、の３種の判定を行うループ動作に移行する（ステップＳ１３〜Ｓ１５）。このループ動作において、表示の指示が入力された場合、制御手段１８は、再生された映像に重畳する形で、情報６１〜６５を表示する制御を行う（ステップＳ１６）。このため、モニタ７５のエリア７４には、再生された映像に重畳する形で、情報６１〜６５が表示される。そして後、制御手段１８は、ステップＳ１３〜Ｓ１５のループ動作を再開する。
【００４６】
ステップＳ１６により情報６１〜６５を表示した状態において、表示停止の指示が入力されると、動作は、ステップＳ１４からステップＳ１２に移行し、情報６１〜６５の表示を停止する（情報６１〜６５の表示を停止した状態にある場合、表示停止の入力は無視される）。そして、再生動作が終了したときには、動作は、ステップＳ１５からステップＳ１７に移行し、情報６１〜６５を再度表示する。
【００４７】
なお、上記では、ディスク保持部３４１〜３４５の全てにディスクが載置されている場合について説明したが、ステップＳ６における判別結果が、ディスクの無いことを示す場合、対応する情報６１〜６５の色彩を黒の表示とすることによって、ディスクが載置されていないことを示すようになっている。
【００４８】
また、本実施形態には、ディスク保持部３４１〜３４５に保持された全てのディスクのうち、オーディオＣＤの全てを連続して再生するオーディオＣＤ連続再生モードが設けられている。
【００４９】
いま、ディスク保持部３４１，３４４にはオーディオＣＤ、ディスク保持部３４３，３４５にはＤＶＤ、ディスク保持部３４２にはビデオＣＤが保持されているとする。従って、このときでは、エリア７４には、図９（Ｂ）に示す情報６１〜６５が表示される。この状態において、オーディオＣＤ連続再生モードを選択すると、直ちに、オーディオＣＤの再生が開始されることが判明する。そして、ディスク保持部３４１に保持されたオーディオＣＤの再生が終了した後では、次に、ディスク保持部３４４のディスクが再生されることが判明する。従って、ディスク保持部３４１のディスクの再生が終了し、次のディスクが再生されるまでには、ディスク保持部３４４が再生位置に移動する時間が必要となることを、ユーザは容易に知ることができる。その結果、ディスク保持部３４１のオーディオＣＤの再生が終了した後、しばらく無音の時間が続くときにも、その理由をユーザは充分に納得することができる。
【００５０】
なお、本発明は上記実施形態に限定されず、ディスクの種類については、ＤＶＤ、ビデオＣＤ、オーディオＣＤの３種の判別を行う構成とした場合について説明したが、その他の構成として、上記３種のディスクとカラオケＣＤとの４種のディスクの判別を行う構成、あるいは、上記４種のディスクとフォトＣＤとの５種のディスクの判別を行う構成、等とすることができる。
【００５１】
また、ディスクの種類を示す色彩や、再生可能を示す色彩については、互いの色彩の区別が容易である限りでは、任意の色彩を用いた構成とすることができる。
【００５２】
また、再生可能位置にあるディスク保持部３４１〜３４５に関連した情報６１〜６５については、再生可能を示す色彩と、ディスクの種類を示す色彩とを交互に変化させる構成とした場合について説明したが、その他の構成として、例えば、ディスクの種類を示す円形の色彩表示の外周に沿って、再生可能を示す色彩をリング状に表示する構成、等とすることができる。
【００５３】
また、映像信号を再生するときには、ステップＳ１２により、情報６１〜６５の生成を停止する構成とした場合について説明したが、その他の構成として、映像信号を再生するときには、エリア７４に表示していた情報６１〜６５を、映像を楽しむのに邪魔にならないように、モニタ７５の隅の小さなエリア７７において表示する構成とすることができる。そして、この構成とする場合にも、表示の指示が入力されると、制御手段１８は、情報６１〜６５をエリア７４に表示する。
【００５４】
【発明の効果】
以上説明したように、本発明によれば、ディスク保持部のそれぞれに載置されたディスクの種類は、情報の色彩によって示され、且つ、ディスクが取り換え可能になると、対応する情報が点滅表示になり、且つ、再生された映像は、情報に邪魔されることなく、全画面にわたって表示され、且つ、映像信号の再生を行っているときにも、指示に対応して情報が表示され、且つ、色彩が交互に変化する情報に対応したディスクが再生可能であることが示されるので、複数種のディスクを再生可能にすると共に複数枚のディスクを載置可能とするときにも、回転テーブルに載置されたディスクの種類の確認を容易にすることのでき、且つ、ディスクが取り換え可能になっていることを示すことができ、且つ、映像信号が記録されたディスクを再生するときにも、映像を楽しむのに障害となる情報の表示を防止でき、且つ、任意のタイミングにおいて、載置されたディスクの種類を確認することができ、且つ、再生可能位置にあるディスクを示すことができる。また、ディスク保持部のオーディオＣＤの再生が終了し、次のオーディオＣＤが再生されるまでには、次のオーディオＣＤが保持されたディスク保持部が再生位置に移動する時間が必要となることを、ユーザは容易に知ることができる。このため、オーディオＣＤの再生が終了した後、しばらく無音の時間が続くときにも、その理由をユーザは充分に納得することができる。
【００５５】
また本発明によれば、ディスク保持部のそれぞれに関連した情報を生成するディスク再生装置において、ディスク保持部のそれぞれに関連した情報の色彩を、ディスクの種類に対応した色彩としている。従って、ディスク保持部のそれぞれに載置されたディスクの種類は、ディスク保持部のそれぞれに対応した情報の色彩によって示されるので、複数種のディスクを再生可能にすると共に、複数枚のディスクを載置可能とするときにも、回転テーブルに載置されたディスクの種類の確認を容易にすることができる。また、ディスク保持部のオーディオＣＤの再生が終了し、次のオーディオＣＤが再生されるまでには、次のオーディオＣＤが保持されたディスク保持部が再生位置に移動する時間が必要となることを、ユーザは容易に知ることができるので、オーディオＣＤの再生が終了した後、しばらく無音の時間が続くときにも、その理由をユーザは充分に納得することができる。
【００５６】
またさらに、トレイが排出位置に移動したときには、ディスクの取り換えが可能になるディスク保持部の情報を点滅表示させている。従って、ディスク保持部に保持されたディスクが取り換え可能になると、対応する情報が点滅表示になるので、ディスクが取り換え可能になっていることを示すことができる。
【００５７】
またさらに、映像信号が記録されたディスクを再生するときには情報の生成を停止させている。従って、再生された映像は、情報に邪魔されることなく、全画面にわたって表示されるので、映像信号が記録されたディスクを再生するときにも、映像を楽しむのに障害となる情報の表示を防止することができる。
【００５８】
またさらに、情報の生成を停止した状態において、表示の指示が入力されたときには、情報の生成を行っている。従って、映像信号の再生を行っているときにも、指示に対応して情報が表示されるので、任意のタイミングにおいて、載置されたディスクの種類を確認することができる。
【図面の簡単な説明】
【図１】本発明に係るディスク再生装置の一実施形態のディスクの取り換え時の主要動作を示すフローチャートである。
【図２】ディスク再生時の主要動作を示すフローチャートである。
【図３】実施形態の電気的構成を示すブロック線図である。
【図４】実施形態の機構の概略を示す平面図である。
【図５】モニタが接続された実施形態を示す正面図である。
【図６】情報の変化を示す説明図である。
【図７】情報の変化を示す説明図である。
【図８】情報の変化を示す説明図である。
【図９】情報の変化を示す説明図である。
【図１０】従来技術の表示方法を示す説明図である。
【符号の説明】
９  ディスク
２６  トレイ
３３  回転テーブル
６１〜６５  情報
３４１〜３４５  ディスク保持部
Ｓ６  ディスクの種類を判別するステップ
Ｓ７  情報をディスクの種類に対応した色彩に変更するステップ
Ｓ９  情報の色彩を交互に変化させる表示のステップ
Ｓ１２  情報の表示を停止するステップ
Ｓ１６  入力された指示に従って情報を表示するステップ
【図１】
0003672090.tif 000002
【図２】
0003672090.tif 000003
【図３】
0003672090.tif 000004
【図４】
0003672090.tif 000005
【図５】
0003672090.tif 000006
【図６】
0003672090.tif 000007
【図７】
0003672090.tif 000008
【図８】
0003672090.tif 000009
【図９】
0003672090.tif 000010
【図１０】
0003672090.tif 000011